(57)【特許請求の範囲】
【請求項１】
導電性部材を含む第１基板と、前記第１基板に対向して配置される第２基板と、を有し、複数の画素が行列状に配置されたパネル部と、
前記パネル部の上方または下方に配置され、かつ遮光領域および光透過領域が規則的に配置された、樹脂であるバリア層と、
前記バリア層に接して配置された、ＩＴＯを含む粘着剤である透明導電層と、
前記透明導電層と前記導電性部材とを互いに電気的に接続する導電体と
を備える
表示パネル。
【請求項２】
前記透明導電層に接する偏光板を備え、
前記パネル部は、液晶層を有する
請求項１に記載の表示パネル。
【請求項３】
前記透明導電層に接する第３基板を備え、
前記パネル部は、発光層を有する
請求項１に記載の表示パネル。
【請求項４】
前記バリア層は、前記遮光領域に遮光部材を有し、前記光透過領域に開口を有する
請求項１に記載の表示パネル。
【請求項５】
表示パネルと、
前記表示パネルを支持する筐体と
を備え、
前記表示パネルは、
導電性部材を含む第１基板と、前記第１基板に対向して配置される第２基板と、を有し、複数の画素が行列状に配置されたパネル部と、
前記パネル部の上方または下方に配置され、かつ遮光領域および光透過領域が規則的に配置された、樹脂であるバリア層と、
前記バリア層に接して配置された、ＩＴＯを含む粘着剤である透明導電層と、
前記透明導電層と前記導電性部材とを互いに電気的に接続する導電体と
を有する
表示装置。
【請求項６】
表示装置を備え、
前記表示装置は、
表示パネルと、
前記表示パネルを支持する筐体と
を有し、
前記表示パネルは、
導電性部材を含む第１基板と、前記第１基板に対向して配置される第２基板と、を有し、複数の画素が行列状に配置されたパネル部と、
前記パネル部の上方または下方に配置され、かつ遮光領域および光透過領域が規則的に配置された、樹脂であるバリア層と、
前記バリア層に接して配置された、ＩＴＯを含む粘着剤である透明導電層と、
前記透明導電層と前記導電性部材とを互いに電気的に接続する導電体と
を有する
電子機器。
【発明の詳細な説明】
【技術分野】
【０００１】
本発明は、視点ごとでそれぞれ異なる２次元映像（平面映像）を視認することの可能なマルチビュー表示、または特定の視点で３次元映像（立体映像）を視認することの可能な３次元表示を行うことの可能な表示パネル、およびそれを備えた表示装置に関する。また、本発明は、上述の表示装置を備えた電子機器に関する。
【背景技術】
【０００２】
近年、マルチビュー表示または３次元表示の可能な表示装置が実用化されている。そのような表示装置の１つとして、例えば、表示パネルの表示領域上にバリア層を備えたものが知られている。そのようなバリア層の１つとして、例えば、特許文献１では、遮光領域によって隔たれた光透過性の複数のスリットが設けられたものが開示されている。また、例えば、特許文献２では、液晶に電圧が印加されることにより遮光領域が生成されるバリア液晶が開示されている。
【先行技術文献】
【特許文献】
【０００３】
【特許文献１】特開平９−２８１４４０号公報
【特許文献２】特開平８−１０６０７０号公報
【特許文献３】特開２０１０−２０４４０６号公報
【発明の概要】
【発明が解決しようとする課題】
【０００４】
ところで、上述したような表示パネルに対して、外部から静電気等の高い電位が加えられたときに、表示異常が発生する場合があった。特に、表示パネル内の電極が一方の基板側にだけ設けられている場合には、他方の基板側に静電気などの電荷が蓄積されやすいので、上記の問題が顕著に発生していた。この対策として、例えば、特許文献３では、バリア層を金属で構成し、バリア層に静電シールド機能を持たせることが開示されている。
【０００５】
しかし、バリア層を金属で構成した場合には、外部環境下の水分が表示パネル内に侵入したときに、バリア層が腐食してしまうという問題がある。特許文献３の実施例では、バリア層の直上にガラス基板が設けられているので、ガラス基板側からの水分の侵入はほとんどないが、表示パネルの側面から水分が侵入し、バリア層の腐食が進行するものと考えられる。
【０００６】
本発明はかかる問題点に鑑みてなされたもので、その目的は、帯電および腐食の双方を防止することの可能な表示パネルならびにそれを備えた表示装置および電子機器を提供することにある。
【課題を解決するための手段】
【０００７】
本発明による表示パネルは、複数の画素が行列状に配置されたパネル部と、パネル部の上方または下方に配置され、かつ遮光領域および光透過領域が規則的に配置されたバリア層と、パネル部の上方に配置された透明導電層とを備えている。
【０００８】
本発明による表示装置は、表示パネルと、表示パネルを支持する筐体とを備えている。表示パネルは、上記の表示パネルと同一の構成要素を有している。本発明による電子機器は、上記の表示装置を備えている。
【０００９】
本発明による表示パネル、表示装置および電子機器では、バリア層とは別体で、パネル部の上方に透明導電層が設けられている。これにより、バリア層および透明導電層のそれぞれに適した材料を選択することができるので、バリア層および透明導電層のそれぞれに対して、水分に対する耐腐食性を持たせることが可能である。
【００１０】
本発明において、表示パネルが、透明導電層と導電性部材とを互いに電気的に接続する導電体をさらに備えていてもよい。表示パネルが上記の導電体を備えている場合に、パネル部は、導電性部材を含む第１基板を有していてもよいし、表示パネルが、導電性部材を当該表示パネル上面端部に備えていてもよい。
【００１１】
本発明において、透明導電層は、例えば、粘着層である。透明導電層が粘着層である場合に、表示パネルが、透明導電層に接する偏光板を備え、パネル部が液晶層を有していてもよい。また、透明導電層が粘着層である場合に、表示パネルが、透明導電層に接する透明基板を備え、パネル部が発光層を有していてもよい。
【００１２】
本発明において、表示パネルが、透明導電層とパネル部との間に基板を備え、透明導電層が反射防止層であってもよい。ここで、基板は、偏光板であってもよいし、透明基板であってもよい。
【発明の効果】
【００１３】
本発明による表示パネル、表示装置および電子機器によれば、バリア層とは別体で、パネル部の上方に透明導電層を設け、バリア層および透明導電層のそれぞれに対して、水分に対する耐腐食性を持たせることができるようにしたので、帯電および腐食の双方を防止することが可能である。
【図面の簡単な説明】
【００１４】
【図１】第１の実施の形態に係る表示装置の断面構成の一例を表す図である。
【図２】デュアルビュー表示のときのパネル部およびバリア層の断面構成の一例を表す図である。
【図３】３次元表示のときのパネル部およびバリア層の断面構成の一例を表す図である。
【図４】図１の表示装置の第１変形例を表す断面図である。
【図５】図１の表示装置の第２変形例を表す断面図である。
【図６】図１の表示装置の第３変形例を表す断面図である。
【図７】図１の表示装置の第４変形例を表す断面図である。
【図８】図１の表示装置の第５変形例を表す断面図である。
【図９】図１の表示装置の第６変形例を表す断面図である。
【図１０】図１の表示装置の第７変形例を表す断面図である。
【図１１】図１の表示装置の第８変形例を表す断面図である。
【図１２】第２の実施の形態に係る表示装置の断面構成の一例を表す図である。
【図１３】図１２の表示装置の第１変形例を表す断面図である。
【図１４】図１２の表示装置の第２変形例を表す断面図である。
【図１５】図１２の表示装置の第３変形例を表す断面図である。
【図１６】一適用例に係る電子機器の一例を表す斜視図である。
【発明を実施するための形態】
【００１５】
以下、発明を実施するための形態について、図面を参照して詳細に説明する。なお、説明は以下の順序で行う。
１．第１の実施の形態（液晶表示装置）
２．第２の実施の形態（有機ＥＬ表示装置）
３．適用例（電子機器）
【００１６】
＜１．第１の実施の形態＞
［構成］
図１は、第１の実施の形態に係る表示装置１の断面構成の一例を表したものである。なお、図１は、模式的に表したものであり、実際の寸法や形状と同一であるとは限らない。表示装置１は、表示パネル２０と、表示パネル２０の背後に配置されたバックライト１０と、表示パネル２０およびバックライト１０を支持する筐体３０とを備えている。
【００１７】
バックライト１０は、表示パネル２０を背後から照明する面発光源である。表示パネル２０の上面が映像表示面となっており、筐体３０は、少なくとも映像表示面に対応して開口を有している。また、筐体３０は、例えば、少なくとも、上記の開口を形作るフレーム部分において導電性を有しており、好ましくは、フレーム部分を含む全体において導電性を有している。なお、本実施の形態では、筐体３０は、非導電性であってもよい。
【００１８】
表示パネル２０は、外部から入力される映像信号に応じて各画素（図示せず）が駆動される透過型のパネルである。表示パネル２０は、例えば、図１に示したように、液晶層２４を一対の基板（下側基板２３および上側基板２５）で挟み込んだパネル部（後述のパネル部４０に相当する。）を有している。下側基板２３は、いわゆるＴＦＴ（Thin Film Transistor）基板であり、後述する導電体３１と電気的に接続されるコモン配線を有している。コモン配線は、表示装置１の使用時に接地電位となる配線である。上側基板２５は、いわゆるＣＦ（カラーフィルター）基板である。
【００１９】
表示パネル２０は、例えば、図１に示したように、パネル部の下方（下側基板２３側）に、粘着層２２および偏光板２１を有している。偏光板２１は、粘着層２２を介して下側基板２３に固定されている。表示パネル２０は、例えば、図１に示したように、パネル部の上方（上側基板２５側）に、バリア層２６を有している。バリア層２６は、例えば、上側基板２５の上面に直接形成されている。なお、バリア層２６は、ガラス基板（図示せず）にバリア層２６を形成したものを上側基板２５の上面に貼り合わせたものであってもよい。表示パネル２０は、例えば、図１に示したように、さらに、粘着層２７、偏光板２８およびＡＲ（反射防止）層２９を有している。偏光板２８は、粘着層２７を介して上側基板２５に固定されている。ＡＲ層２９は、偏光板２８上に塗布することにより形成されたものである場合には、ＡＲ層２９は、偏光板２８に直接、接している。ＡＲ層２９がフィルムからなる場合には、例えば、図示しない粘着層を介して偏光板２８に固定されている。なお、本実施の形態では、必要に応じて、ＡＲ層２９を省略することが可能である。
【００２０】
本実施の形態では、粘着層２７は、偏光板２８とバリア層２６とを互いに固定するだけでなく、透光性で導電性も有している。粘着層２７は、さらに、水分に対する耐腐食性を有している。粘着層２７は、例えば、特開平７−１５３３１３に記載されているような針状ＩＴＯ（酸化インジウムスズ）を含む粘着剤からなる。
【００２１】
表示パネル２０は、さらに、例えば、図１に示したように、導電体３１を有している。導電体３１は、表示パネル２０のうち上側基板２５側に静電気などの電荷が溜まるのを防止するためのものである。本実施の形態では、導電体３１は、導電性を有する粘着層２７と、下側基板２３のコモン配線とを互いに電気的に接続しており、例えば、柱状金属からなる。
【００２２】
表示パネル２０は、視点ごとでそれぞれ異なる２次元映像（平面映像）を視認することの可能なマルチビュー表示、または特定の視点で３次元映像（立体映像）を視認することの可能な３次元表示を行うことの可能な表示パネルである。図２は、表示パネル２０においてマルチビュー表示を行っている様子を模式的に表したものである。図３は、表示パネル２０において３次元表示を行っている様子を模式的に表したものである。
【００２３】
液晶層２４を下側基板２３および上側基板２５で挟み込んだパネル部４０は、例えば、図２、図３に示したように、複数の画素４２が行列状に配置された表示領域を有している。各画素４２は、複数の色の光を出射することが可能となっており、例えば、色ごとに２つのサブピクセル４１を有している。各サブピクセル４１は、例えば、赤、緑または青の光を出射することが可能となっている。各画素４２は、例えば、図２、図３に示したように、２つの赤色用のサブピクセル４１Ｒ、２つの緑色用のサブピクセル４１Ｇ、および２つの青色用のサブピクセル４１Ｂからなる。
【００２４】
各画素４２に含まれる複数のサブピクセル４１は、例えば、ストライプ配列となっている。画素４２同士の間や、サブピクセル４１同士の間には、遮光部であるブラック４３が配置されている。ブラック４３は、例えば、面内で格子状に形成されている。
【００２５】
バリア層２６は、パネル部４０の各画素４２から出射された光（画像光）の一部を遮蔽するものである。バリア層２６は、デュアルビュー表示のときには、一部の画素４２を遮蔽することにより、観察者Ｈが２つの適視方向（後述のｄ１，ｄ２）（図２参照）ごとでそれぞれ異なる２次元映像（平面映像）を視認することを可能にするものである。このとき、表示装置１は、いわゆるデュアルビュー表示装置となっている。また、バリア層２６は、３次元表示のときには、一部の画素４２を遮蔽することにより、観察者Ｈの右目ｅ１および左目ｅ２（図３参照）ごとでそれぞれ異なる２次元映像（平面映像）を視認することを可能にするものである。このとき、表示装置１は、いわゆる３次元表示装置となっている。
【００２６】
バリア層２６は、例えば、図２、図３に示したように、パネル部４０と対向する位置に配置されている。バリア層２６は、例えば、図２、図３に示したように、複数の光透過領域２６Ｂが２次元配置されるとともに、各光透過領域２６Ｂの周囲に遮光領域２６Ａが配置されたバリアパターンを有している。
【００２７】
バリア層２６は、水分に対する耐腐食性を有している。遮光領域２６Ａは、例えば、遮光部材によって構成されている。遮光部材としては、例えば、樹脂に黒色顔などを含有させたものが挙げられる。一方、光透過領域２６Ｂは、例えば、開口となっている。複数の光透過領域２６Ｂは、規則的に配置されており、行方向および列方向に２次元配置されている。遮光領域２６Ａおよび光透過領域２６Ｂは、例えば、市松状に（つまり行方向および列方向に交互に）配置されている。
【００２８】
バリア層２６は、デュアルビュー表示のときには、例えば、図２に示したように、観察者Ｈが第１適視方向ｄ１から表示パネル２０を眺めたときに、各光透過領域２６Ｂを介して所定のサブピクセル４１の全体または一部が見える位置に配置されている。さらに、バリア層２６は、デュアルビュー表示のときには、例えば、図２に示したように、観察者Ｈが第２適視方向ｄ２から表示パネル２０を眺めたときに、各光透過領域２６Ｂを介して、先のサブピクセル４１とは異なるサブピクセル４１の全体または一部が見える位置に配置されている。つまり、各光透過領域２６Ｂは、例えば、観察者Ｈが第１適視方向ｄ１または第２適視方向ｄ２から表示パネル２０を眺めたときに、１つの光透過領域２６Ｂから互いに異なる１つのサブピクセル４１の全体または一部を視認可能に構成されている。このとき、観察者Ｈは、第１適視方向ｄ１または第２適視方向ｄ２から表示パネル２０を眺めたときに、例えば、画素４２ごとに、ＲＧＢの３色のサブピクセル４１を視認することができる。
【００２９】
バリア層２６は、３次元表示のときには、例えば、図３に示したように、観察者Ｈが右目ｅ１から表示パネル２０を眺めたときに、各光透過領域２６Ｂを介して所定のサブピクセル４１の全体または一部が見える位置に配置されている。さらに、バリア層２６は、３次元表示のときには、例えば、図３に示したように、観察者Ｈが左目ｅ２から表示パネル２０を眺めたときに、各光透過領域２６Ｂを介して、先のサブピクセル４１とは異なるサブピクセル４１の全体または一部が見える位置に配置されている。つまり、各光透過領域２６Ｂは、例えば、観察者Ｈが右目ｅ１または左目ｅ２から表示パネル２０を眺めたときに、１つの光透過領域２６Ｂから互いに異なる１つのサブピクセル４１の全体または一部を視認可能に構成されている。このとき、観察者Ｈは、右目ｅ１または左目ｅ２から表示パネル２０を眺めたときに、例えば、画素４２ごとに、ＲＧＢの３色のサブピクセル４１を視認することができる。
【００３０】
［動作］
本実施の形態では、バックライト１０から出力された光がパネル部４０の各画素４２で変調され、所定の画像光がバリア層２６に出力される。その後、画像光の一部は、バリア層２６の遮光領域２６Ａで遮断され、光透過領域２６Ｂを透過した光が表示パネル２０の映像表示面から出力される。映像表示面から出力された光は、例えば、バリア層２６がデュアルビュー表示用となっている場合には、第１適視方向ｄ１と平行な線分上の所定の位置（視点）で結像し、２次元映像（平面映像）が生成される。さらに、映像表示面から出力された光は、例えば、第２適視方向ｄ２と平行な線分上の所定の位置（視点）で結像し、２次元映像（平面映像）が生成される。また、映像表示面から出力された光は、例えば、バリア層２６が３次元表示用となっている場合には、右目ｅ１の位置（視点）で結像し、２次元映像（平面映像）が生成される。さらに、映像表示面から出力された光は、例えば、左目ｅ２の位置（視点）で結像し、２次元映像（平面映像）が生成される。これにより、観察者Ｈは３次元映像を視認することができる。
【００３１】
［効果］
本実施の形態では、バリア層２６とは別体で、パネル部４０の上方に、透明導電層である粘着層２７が設けられている。これにより、バリア層２６および粘着層２７のそれぞれに適した材料を選択することができるので、バリア層２６および粘着層２７のそれぞれに対して、水分に対する耐腐食性を持たせることが可能である。例えば、バリア層２６において、遮光領域２６Ａを、樹脂に黒色顔などを含有させたもので構成し、光透過領域２６Ｂを開口とし、粘着層２７を、上述の針状ＩＴＯを含む粘着剤で構成することができる。このように、本実施の形態では、バリア層２６を、水分に対して腐食しやすい金属薄膜で構成していない。従って、表示パネル２０において、帯電および腐食の双方を防止することが可能である。
【００３２】
[変形例] 
（第１変形例）
上記実施の形態では、導電体３１が柱状金属からなる場合が例示されていたが、例えば、金属ペーストで構成されていてもよい。導電体３１が金属ペーストで構成されている場合には、例えば、図４に示したように、導電体３１を、表示パネル２０の側面に配置することが可能である。このとき、導電体３１は、粘着層２７の端部と、下側基板２３のコモン配線とを互いに電気的に接続している。
【００３３】
（第２変形例）
上記実施の形態では、粘着層２７が導電性を有している場合が例示されていたが、例えば、ＡＲ層２９が導電性を有していてもよい。この場合に、導電体３１は、図５に示したように、表示パネル２０の上面端部（つまり、ＡＲ層２９の上面端部）に配置され、筐体３０と、ＡＲ層２９とを互いに電気的に接続している。このとき、導電体３１は、柱状金属からなっていてもよいし、金属ペーストで構成されていてもよい。これにより、表示パネル２０のうち上側基板２５側に静電気などの電荷が溜まるのを防止することができる。従って、上記実施の形態と同様、表示パネル２０において、帯電および腐食の双方を防止することが可能である。
【００３４】
（第３変形例）
上記第２変形例では、導電体３１が表示パネル２０の上面端部に設けられている場合が例示されていたが、例えば、図６に示したように、表示パネル２０の側面に配置されていてもよい。ただし、この場合には、導電体３１は、金属ペーストで構成されていることが好ましい。
【００３５】
（第４変形例）
上記実施の形態ならびに第１変形例ないし第３変形例では、バリア層２６が上側基板２５の上に配置されている場合が例示されていたが、例えば、下側基板２３の下に配置されていてもよい。例えば、図７に示したように、バリア層２６が下側基板２３の下に、下側基板２３に接して形成されていてもよい。
【００３６】
（第５変形例）
上記実施の形態において、バリア層２６を、上側基板２５の上ではなく、例えば、図８に示したように、下側基板２３の下に配置した場合に、粘着層２２が、粘着層２７と同様の構成となっていることが好ましい。具体的には、粘着層２２は、偏光板２１とバリア層２６とを互いに固定するだけでなく、透光性で導電性も有している。粘着層２２は、さらに、水分に対する耐腐食性を有している。粘着層２２は、例えば、特開平７−１５３３１３に記載されているような針状ＩＴＯを含む粘着剤からなる。
【００３７】
本変形例において、表示パネル２０は、例えば、図８に示したように、粘着層２２と筐体３０とを互いに電気的に接続する導電体３２をさらに有していることが好ましい。これにより、表示パネル２０のうち上側基板２５だけでなく下側基板２３側に静電気などの電荷が溜まるのを防止することができる。従って、上記実施の形態と同様、表示パネル２０において、帯電および腐食の双方を防止することが可能である。
【００３８】
（第６変形例）
上記第１変形例において、バリア層２６を、上側基板２５の上ではなく、例えば、図９に示したように、下側基板２３の下に配置した場合に、粘着層２２が、粘着層２７と同様の構成となっていることが好ましい。具体的には、粘着層２２は、偏光板２１とバリア層２６とを互いに固定するだけでなく、透光性で導電性も有している。粘着層２２は、さらに、水分に対する耐腐食性を有している。粘着層２２は、例えば、特開平７−１５３３１３に記載されているような針状ＩＴＯを含む粘着剤からなる。
【００３９】
本変形例において、表示パネル２０は、例えば、図９に示したように、粘着層２２と筐体３０とを互いに電気的に接続する導電体３２をさらに有していることが好ましい。これにより、表示パネル２０のうち上側基板２５だけでなく下側基板２３側に静電気などの電荷が溜まるのを防止することができる。従って、上記第１変形例と同様、表示パネル２０において、帯電および腐食の双方を防止することが可能である。
【００４０】
（第７変形例）
上記第２変形例において、バリア層２６を、上側基板２５の上ではなく、例えば、図１０に示したように、下側基板２３の下に配置した場合に、粘着層２２が、上記の第６変形例における粘着層２２と同様の構成となっていることが好ましい。
【００４１】
本変形例において、表示パネル２０は、例えば、図１０に示したように、粘着層２２と筐体３０とを互いに電気的に接続する導電体３２をさらに有していることが好ましい。これにより、表示パネル２０のうち上側基板２５だけでなく下側基板２３側に静電気などの電荷が溜まるのを防止することができる。従って、上記第２変形例と同様、表示パネル２０において、帯電および腐食の双方を防止することが可能である。
【００４２】
（第８変形例）
上記第３変形例において、バリア層２６を、上側基板２５の上ではなく、例えば、図１１に示したように、下側基板２３の下に配置した場合に、粘着層２２が、上記の第６変形例における粘着層２２と同様の構成となっていることが好ましい。
【００４３】
本変形例において、表示パネル２０は、例えば、図１１に示したように、粘着層２２と筐体３０とを互いに電気的に接続する導電体３２をさらに有していることが好ましい。これにより、表示パネル２０のうち上側基板２５だけでなく下側基板２３側に静電気などの電荷が溜まるのを防止することができる。従って、上記第３変形例と同様、表示パネル２０において、帯電および腐食の双方を防止することが可能である。
【００４４】
＜２．第２の実施の形態＞
［構成］
図１２は、第２の実施の形態に係る表示装置２の断面構成の一例を表したものである。なお、図１２は、模式的に表したものであり、実際の寸法や形状と同一であるとは限らない。表示装置２は、表示パネル５０と、表示パネル５０を支持する筐体３０とを備えている。
【００４５】
表示パネル５０は、外部から入力される映像信号に応じて各画素（図示せず）が駆動される自発光型のパネルである。表示パネル５０は、例えば、図１２に示したように、有機ＥＬ層５２を一対の基板（下側基板５１および上側基板５３）で挟み込んだパネル部（上記実施の形態のパネル部４０に対応する。）を有している。下側基板５１は、いわゆるＴＦＴ基板であり、導電体３１と電気的に接続されるコモン配線を有している。コモン配線は、表示装置２の使用時に接地電位となる配線である。上側基板５３は、ガラス基板などの透明基板である。
【００４６】
表示パネル５０は、例えば、図１２に示したように、パネル部の上方（上側基板５３側）に、バリア層２６を有している。バリア層２６は、例えば、上側基板５３の上面に直接形成されている。なお、バリア層２６は、ガラス基板（図示せず）にバリア層２６を形成したものを上側基板５３の上面に貼り合わせたものであってもよい。表示パネル５０は、例えば、図１２に示したように、さらに、粘着層２７、支持基板５４およびＡＲ（反射防止）層２９を有している。支持基板５４は、粘着層２７を介して上側基板５３に固定されており、例えば、ガラス基板からなる。ＡＲ層２９は、支持基板５４上に塗布することにより形成されたものである場合には、ＡＲ層２９は、支持基板５４に直接、接している。ＡＲ層２９がフィルムからなる場合には、例えば、図示しない粘着層を介して支持基板５４に固定されている。なお、本実施の形態では、必要に応じて、ＡＲ層２９を省略することが可能である。
【００４７】
本実施の形態では、粘着層２７は、支持基板５４とバリア層２６とを互いに固定するだけでなく、透光性で導電性も有している。粘着層２７は、さらに、水分に対する耐腐食性を有している。粘着層２７は、上記実施の形態と同様、例えば、特開平７−１５３３１３に記載されているような針状ＩＴＯ（酸化インジウムスズ）を含む粘着剤からなる。
【００４８】
表示パネル５０は、さらに、例えば、図１２に示したように、導電体３１を有している。導電体３１は、表示パネル５０のうち上側基板５３側に静電気などの電荷が溜まるのを防止するためのものである。本実施の形態では、導電体３１は、導電性を有する粘着層２７と、下側基板５１のコモン配線とを互いに電気的に接続しており、例えば、柱状金属からなる。
【００４９】
表示パネル５０は、上記実施の形態の表示パネル２０と同様、マルチビュー表示、または３次元表示を行うことの可能な表示パネルである。
【００５０】
有機ＥＬ層５２を下側基板５１および上側基板５２で挟み込んだパネル部４０は、例えば、図２、図３に示したように、複数の画素４２が行列状に配置された表示領域を有している。
【００５１】
バリア層２６は、パネル部４０の各画素４２から出射された光（画像光）の一部を遮蔽するものである。バリア層２６は、デュアルビュー表示のときには、一部の画素４２を遮蔽することにより、観察者Ｈが２つの適視方向（後述のｄ１，ｄ２）（図２参照）ごとでそれぞれ異なる２次元映像（平面映像）を視認することを可能にするものである。このとき、表示装置２は、いわゆるデュアルビュー表示装置となっている。また、バリア層２６は、３次元表示のときには、一部の画素４２を遮蔽することにより、観察者Ｈの右目ｅ１および左目ｅ２（図３参照）ごとでそれぞれ異なる２次元映像（平面映像）を視認することを可能にするものである。このとき、表示装置２は、いわゆる３次元表示装置となっている。
【００５２】
［動作］
本実施の形態では、各画素４２から出力された画像光がバリア層２６に入射する。その後、画像光の一部は、バリア層２６の遮光領域２６Ａで遮断され、光透過領域２６Ｂを透過した光が表示パネル５０の映像表示面から出力される。映像表示面から出力された光は、例えば、バリア層２６がデュアルビュー表示用となっている場合には、第１適視方向ｄ１と平行な線分上の所定の位置（視点）で結像し、２次元映像（平面映像）が生成される。さらに、映像表示面から出力された光は、例えば、第２適視方向ｄ２と平行な線分上の所定の位置（視点）で結像し、２次元映像（平面映像）が生成される。また、映像表示面から出力された光は、例えば、バリア層２６が３次元表示用となっている場合には、右目ｅ１の位置（視点）で結像し、２次元映像（平面映像）が生成される。さらに、映像表示面から出力された光は、例えば、左目ｅ２の位置（視点）で結像し、２次元映像（平面映像）が生成される。これにより、観察者Ｈは３次元映像を視認することができる。
【００５３】
［効果］
本実施の形態では、バリア層２６とは別体で、パネル部４０の上方に、透明導電層である粘着層２７が設けられている。これにより、バリア層２６および粘着層２７のそれぞれに適した材料を選択することができるので、バリア層２６および粘着層２７のそれぞれに対して、水分に対する耐腐食性を持たせることが可能である。例えば、バリア層２６において、遮光領域２６Ａを、樹脂に黒色顔などを含有させたもので構成し、光透過領域２６Ｂを開口とし、粘着層２７を、上述の針状ＩＴＯを含む粘着剤で構成することができる。このように、本実施の形態では、バリア層２６を、水分に対して腐食しやすい金属薄膜で構成していない。従って、表示パネル５０において、帯電および腐食の双方を防止することが可能である。
【００５４】
[変形例] 
（第１変形例）
上記実施の形態では、導電体３１が柱状金属からなる場合が例示されていたが、例えば、金属ペーストで構成されていてもよい。導電体３１が金属ペーストで構成されている場合には、例えば、図１３に示したように、導電体３１を、表示パネル５０の側面に配置することが可能である。このとき、導電体３１は、粘着層２７の端部と、下側基板５１のコモン配線とを互いに電気的に接続している。
【００５５】
（第２変形例）
上記実施の形態では、粘着層２７が導電性を有している場合が例示されていたが、例えば、ＡＲ層２９が導電性を有していてもよい。この場合に、導電体３１は、図１４に示したように、表示パネル２０の上面端部（つまり、ＡＲ層２９の上面端部）に配置され、筐体３０と、ＡＲ層２９とを互いに電気的に接続している。このとき、導電体３１は、柱状金属からなっていてもよいし、金属ペーストで構成されていてもよい。これにより、表示パネル５０のうち上側基板５３側に静電気などの電荷が溜まるのを防止することができる。従って、上記第２の実施の形態と同様、表示パネル５０において、帯電および腐食の双方を防止することが可能である。
【００５６】
（第３変形例）
上記第２変形例では、導電体３１が表示パネル５０の上面端部に設けられている場合が例示されていたが、例えば、図１５に示したように、表示パネル５０の側面に配置されていてもよい。ただし、この場合には、導電体３１は、金属ペーストで構成されていることが好ましい。
【００５７】
＜３．適用例＞
次に、上記実施の形態およびその変形例に係る表示装置１，２の一適用例について説明する。図１６は、本適用例に係る電子機器１００の概略構成の一例を表す斜視図である。電子機器２は、携帯電話機であり、例えば、図１６に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００５８】
表示装置１１３は、上記実施の形態およびその変形例に係る表示装置１，２と同一の構成を備えている。これにより、表示パネル２０，５０において、帯電および腐食の双方を防止することが可能である。
【００５９】
以上、実施の形態、その変形例および適用例を挙げて本発明を説明したが、本発明は上記実施の形態等に限定されるものではなく、種々変形が可能である。
【００６０】
例えば、上記実施の形態、その変形例および適用例では、各遮光領域２６Ａが遮光部材によって構成され、各光透過領域２６Ｂが開口となっている場合が例示されていた。しかし、バリア層２６が、遮光領域２６Ａの光学的な性質を、外部からの制御信号に基づいて制御可能な動的な構成となっていてもよい。このとき、駆動回路は、パネル部４０だけでなく、バリア層２６も駆動するようになっている。
【００６１】
なお、上記実施の形態およびその変形例に係る表示装置１，２を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、インストルメント・クラスタ（計器盤）、ページャ、電子手帳、電卓、ワードプロセッサ、ワークステーション、テレビ電話機、ＰＯＳ端末器等が挙げられる。
【符号の説明】
【００６２】
１，２…表示装置、１０…バックライト、２０，５０…表示パネル、２１，２８…偏光板、２２，２７…粘着層、２３，５１…下側基板、２４…液晶層、２５，５３…上側基板、２６…バリア層、２６Ａ…遮光領域、２６Ｂ…光透過領域、２９…ＡＲ層、３０…筐体、３１，３２…導電体、４０…パネル部、４１，４１Ｒ，４１Ｇ，４１Ｂ…サブピクセル、４２…画素、４３…ブラック、ｄ１…第１適視領域、ｄ２…第２適視領域、ｅ１…右目、ｅ２…左目、Ｈ…観察者、１００…電子機器、１１１…本体部、１１２…表示体部、１１３…表示装置、１１４…表示画面、１１５…操作ボタン、１１６…送話部。
【図１】
0005604359.tif 000002
【図２】
0005604359.tif 000003
【図３】
0005604359.tif 000004
【図４】
0005604359.tif 000005
【図５】
0005604359.tif 000006
【図６】
0005604359.tif 000007
【図７】
0005604359.tif 000008
【図８】
0005604359.tif 000009
【図９】
0005604359.tif 000010
【図１０】
0005604359.tif 000011
【図１１】
0005604359.tif 000012
【図１２】
0005604359.tif 000013
【図１３】
0005604359.tif 000014
【図１４】
0005604359.tif 000015
【図１５】
0005604359.tif 000016
【図１６】
0005604359.tif 000017